(57)【特許請求の範囲】
【請求項１】
クラリネット（Ｅｓ，Ｄ，Ｃ，Ａ，Ｂの各管調）のマウスピースと上管との間に配置する調律可能なクラリネット・バレル（１）であり、長手方向の軸線（Ｌ）と、この軸線（Ｌ）方向に延在する貫通穴（１００）を具えており、クラリネット・バレル（１）は、上部（２）と下部（３）から形成されており、上部（２）と下部（３）は軸線（Ｌ）上で連結されており、上部（２）と下部（３）を連結する調節リング（４）を具え、この調節リング（４）によって上部（２）と下部（３）と間の軸線上の間隔が可変であり、調節リング（４）は、上部（２）および下部（３）とそれぞれネジ山（６，７）を介して連結されており、このネジ山（６，７）は回転方向が互いに逆向きであり、上部（２）は、貫通穴（１００）の位置に下部（３）に挿入する張り出した連結鞘（９）を具えており、上部（２）と下部（３）はそれぞれ、ネジ山（６，７）を設けたネジ山付きリング（６０，７０）に嵌められており、ネジ山付きリング（６０，７０）が、調節リング（４）の内側で上部（２）と下部（３）との間に発生する両側の空洞を塞ぐ、調整可能なクラリネット・バレルにおいて、
上部（２）と下部（３）それぞれの外周に設けた切欠き部分に、それぞれネジ山付きリング（６０，７０）が嵌め込まれており、
これによって、貫通穴（１００）に沿った内部側のみならずクラリネットの外部側も同様に隙間ができることを回避できることを特徴とする調整可能なクラリネット・バレル。
【請求項２】
請求項１に記載の調節可能なクラリネット・バレル（１）において、
ネジ山付きリング（６０，７０）あるいはネジ山（６，７）は、上部（２）と下部（３）から突出しており、調節リング（４）がネジ山（６，７）に密接するが上部（２）と下部（３）の本体には接触しないことを特徴とするクラリネット・バレル。
【請求項３】
請求項１又は２に記載の調整可能なクラリネット・バレル（１）において、
前記調節リング（４）及び前記ネジ山付きリング（６０，７０）から成るスクリュー式調節リングユニット（４，６０，７０）は、上部（２）および下部（３）の外側から貫通穴（１００）を取り囲むようにバレル（１）に取り付けられていることを特徴とするクラリネット・バレル。
【請求項４】
請求項３に記載の調律可能なクラリネット・バレル（１）において、
前記スクリュー式調節リングユニット（４，６０，７０）は、前記上部（２）に設けられた挿入穴（２０）と前記下部（３）に設けられた挿入穴（３０）との間の中央部分に位置するように配置されていることを特徴とするクラリネット・バレル。
【請求項５】
請求項１乃至４のいずれか１項に記載のクラリネット・バレル（１）において、
捻れ防止手段として、少なくとも上部（２）と下部（３）の間を貫通し、上部（２）と下部（３）の相応の位置に設けられた開口部に挿通したガイドピン（８）を具えることを特徴とするクラリネット・バレル。
【請求項６】
請求項１乃至５のいずれか１項に記載のクラリネット・バレル （１）において、
調節リング（４）に、音階調整用目盛りとなるマーキングが付されており、一のマーキングから隣のマーキングへの移行が、軸線方向における上部（２）と下部（３）との間隔の変化、０．２ｍｍ乃至０．８ｍｍまで、望ましくは０．５ｍｍ、に相当することを特徴とするクラリネット・バレル。
【請求項７】
請求項１乃至６のいずれか１項に記載の調整可能なクラリネット・バレル（１）において、
一のマーキングから隣のマーキングへの移行が、０．５Ｈｚ乃至１．５Ｈｚまで、望ましくは１Ｈｚの音の高さの変化に相当することを特徴とするクラリネット・バレル。
【発明の詳細な説明】
【技術分野】
【０００１】
本発明は、クラリネットにおいて、マウスピースとクラリネット管体の上管との間に配置される調律可能なクラリネット・バレルに関するものであり、クラリネット・バレルは上部と下部とに分かれており、この二つの部分を連結している調節リングによって、上部と下部の間の軸線上の間隔を変えることができるようになっている。
【背景技術】
【０００２】
クラリネットは、木管楽器の一種であり、通常は挿し込んで連結することができる五つの部分、すなわち、マウスピース、クラリネット・バレル、上管、下管、そしてベル、から構成されている。これら五つ各部の連結は、コルク敷きになったほぞと、これらのほぞに対応する受け部によってなされ、各連結個所に個々の部分が示されている。これらクラリネットの五つの部分はすべて、各部分間が隙間の内容に連結するように挿し込まれ、クラリネット内部の貫通穴は、マウスピースからバレル、上管および下管を経てベルに至るまで続き、連続した基本的に同寸の内径となる。
【０００３】
音楽通論において、クラリネットはソロ演奏のみならず様々な形態の室内楽やオーケストラでのパートを担うものであり、多数の演奏者が合奏する際には、とりわけ楽器パート間の音程合わせに不可欠である。その場合に各楽器固有の要素のみならず周辺からの影響も変動要因となり、所定の音の高さはこの要因に依存することになり、とりわけ楽器が帯びる熱に直接的に影響を与える周囲の環境温度に左右される。全ての木管楽器群について、楽器の温度上昇に伴って音の高さも上昇する、と云うことが当てはまる。
【０００４】
多数の演奏者で合奏を行う場合は、通常、演奏開始前に先ず楽器のチューニングが行なわれる。吹奏楽器は演奏者が吐く暖かい吐気の流れによって温まり、これによって楽器の音色も変わってくるので、合奏中に随時、楽器を頻繁に調整することが必要である。また、例えばＡ管調クラリネットとＢ管調クラリネットの交替を求める楽曲も多く有り、交替によって使用を休止したクラリネットが再び冷めてしまうために、事後の微調整が必要になる。
【０００５】
全ての吹奏楽器に、管の中で振動する空気柱が長くなる程に音程が低くなるということが言える。従って通常は、胴に相当する一または複数の部分を若干引き延ばすことで、振動する空気柱を長くするようにしている。そこでクラリネットでは、幾分低い音色で演奏するために、通常、バレルを上管もしくはマウスピースから多少引き出すようにしている。
【０００６】
しかしこのバレルを引き出すとことは、上述した、例えばバレルと上管の間の連結部分を連通する貫通穴がそれに応じた長さだけ間延びすることであり、内側に空洞部分が、外側には隙間が生じることになる。これは楽器が持つ音響上の性格とイントネーションにネガティブな影響を及ぼすばかりか、そこに結露が生じることもあり、演奏の妨げになって望ましくない。また、例えば上管からバレルを引き出すと、クラリネットのこの部分のコルク敷きの結合部が露出してしまい、音響が減衰して楽器の音色が損なわれることがある。
【０００７】
例えば米国特許第１，４１６，８９８号には、貫通穴の中に望遠鏡のように伸縮するよう金属製の鞘を具え、このような空洞部分を覆うようにした構造が開示されている。しかし、そのような鞘を保持することが複雑である上に、金属製の部材を入れることで楽器の響きに影響が生じるため、このような構造がクラリネットの構成として採用されたことは、これまでのところない。
【０００８】
また、上部と下部の二つの部分からなる木製のクラリネット・バレルを作り、上述のような鞘をバレルの一方の部分と一体的に形成することも公知である。このようにクラリネット・バレルの一方の部分と一体的に形成された鞘は、例えば米国特許第５，２４９，４９９号に開示されている。ここに述べるバレルは、上部と下部から構成されていて、これら双方の間に挟まれた上部と下部とを連結する調節リングを具える。上部は調節リングにネジ止めされており、一方、下部は調節リングに回転可能に支持され、調節リングを回すことによって上部と下部との間の軸線上の間隔を変えられるようになっている。
【０００９】
この方式の欠点は、基本的に、調節リングの回転によってバレルの上部および下部の相対的な位置関係がずれることがあるという点にある。下部を調節リングに対して回転可能に支持することは、調節リングを操作するときに下部が一緒に動かないようにするためである。これを達成するためには、調節リングを回転させる際に、下部自体ができる限りこれに抵抗しないように対置されることが必要である。しかし、このことによって、当然、普通に演奏している場合でもバレル上部に対してバレル下部が極端な程簡単にずれてしまうことを意味しており、非常に望ましくない。
【発明の概要】
【００１０】
従って、本発明の課題は、バレルの上部と下部が互いにずれること無く、簡単な方法で調整を行うことができるクラリネット・バレルを提供することである。
【００１１】
この課題は、請求項１の特徴を有する調律可能なクラリネット・バレルによって解決される。望ましい実施態様は、従属する請求項の対象である。
【００１２】
本発明による調律可能なクラリネット・バレルは、長手方向の軸線に抜けている貫通穴を有しており、軸線に対して上部と下部が組み合わせることができるように分割されており、上部と下部とを連結する調節リングによって上部と下部との間の間隔を変えることができる。本発明において、この調節リングは上部と下部のそれぞれとネジで連結されており、ネジの回転方向が上部と下部とでそれぞれ逆向きとなっている調整リングを具えるものである。
【００１３】
調節リングを上部と下部に連結するネジの方向は、一方を左ネジとし他方を右ネジとすることで、調節リングを回すことによって上部と下部との間の間隔を変えることができ、上部と下部は元の相互位置関係を損ねることが無い。これは上部と下部が長手方向軸線上で直線的に離反、接近するものであって、相互に捻れてずれることがなく、とりわけ演奏者にとっては調節リングを片手で容易に操作可能であり、上部から下部への向きを再調整する必要がないので、楽器を一旦下に置くことなく、演奏中に事後的に微調整することができる。
【００１４】
上部と下部が捻れることなく離反、接近する機能に加えて、調節リングは、従来技術の一体型バレルに比べて、音質と音色が明確に改善されるという効果がある。本発明のクラリネット・バレルを用いることによって、貫通穴に沿った内側のみならずクラリネット外側での隙間の発生が避けられるので、楽器の内部だけではなくバレル外被も経由して、振動が滞ることなく伝播される。
【００１５】
本発明の一実施態様では、上部と下部の間に捻れ防止具が設けられており、それによって上部と下部との位置関係を確実に維持できるようにしている。捻れ防止具の具体例としては、上部と下部との間に設けた少なくとも１本のガイドピンが挙げられる。このピンは上部と下部を互いに整列させて固定するものである。
【００１６】
上述したとおり、上部と下部が離反する動きに伴って隙間が発生する問題を避けるために、上部もしくは下部の一方の側、望ましくは本発明の実施例では上部側に、下部に挿し込まれるように張り出している薄い壁状の連結鞘が設けられている。連結鞘の内径は、基本的にバレルの貫通穴の内径と等しく、バレルの上部と下部が離反しても基本的に内径自体は一定のままに維持される。連結鞘は、上部と別に作ってもよいし、あるいは上部と一体的に成形することも可能である。
【００１７】
下部は木製であることが望ましい。本発明の実施態様によれば、本発明の木製バレル下部とクラリネットの上管とを一体的に作ることも可能となる。これによって、バレル下部と上管との間の連結箇所を節減できる。
【００１８】
本発明の別な実施例においては、上部及び／又は下部は、必要に応じて、連結鞘も含めて弾性ゴムまたは合成樹脂によって作られる。合成樹脂で作る場合は、例えばポリオキシメチレン（ＰＯＭ）を用いることができるが、他の合成樹脂で作ることも可能である。
【００１９】
上部及び／又は下部には、ネジを切った別部材であるネジ山付きリングを設けることが好ましい。その場合は、例えば金属製もしくは合成樹脂製のリングが用いられ、これによって加工が簡素化される。このネジ山付きリングは、例えばネジ締め及び／又は貼付によって上部と下部に取り付けられる。
【００２０】
上部および下部のネジ山はいずれも、望ましくはそのピッチが０．８ｍｍら１．２ｍｍの間であり、とりわけそれぞれ１ｍｍのピッチであることが望ましい。これによって楽器のチューニングを非常に的確に行なうことができる。
【００２１】
調節リングは、音階調整用目盛となるマーキングが施されることが望ましく、これによって調整時の再現が容易になる。またこれは、とりわけ自分の楽器を常に１Ｈｚあるいは複数Ｈｚ高くあるいは低く響かせて他の楽器と合奏する場合に好都合である。
【００２２】
本発明の一実施形態においては、マーキングから隣のマーキングへの調節リングの一目盛の移行が、上部と下部との間で生じる軸線上の間隔、０．２ｍｍ乃至０．８ｍｍ、望ましくは０．５ｍｍの移動量に相当する。
【００２３】
本発明の別の実施例においては、マーキングから隣のマーキングへ調節リング上の一目盛の移行が、０．５Ｈｚないし１．５Ｈｚまで、望ましくは１Ｈｚの音の高さの変化に相当することが望ましい。
【００２４】
本発明は、クラリネット族に属する楽器すべて、すなわちＥｓ，Ｄ，Ｃ，Ａ，Ｂの各管調クラリネット，バセットクラリネットに適用可能である。バセットホルンおよびバスクラリネットに適用する場合は、本発明を寸法その他について変形して、Ｓ変調管に取り付けるようにする。Ｓ変調管は、木製、及び／又は、部分的あるいは全体的に合成樹脂製（例えばＰＯＭ製）でできていることが望ましい。本発明はまた、構造や実施形態ならびに材質に関して、とりわけネジ山付バレル部分のユニット構造と、材質に合成樹脂（具体的にはＰＯＭ）を用いると云う点で、その他の木管楽器にも関連する。すなわち、全種類のフルートやピッコロ、全種類のオーボエやイングリッシュホルン、ヘッケルフォンも、ファゴットやコントラファゴットも本発明の対象となる。
【００２５】
Ａ管調もしくはＢ管調クラリネットに本発明のバレルを適用する場合、バレルの最短長は、上部と下部が最大限に近接したときの長さであり、これは、貫通穴の寸法と同様に、クラリネット奏者の各々の好みと必要に応じて製作時に考慮することができる。本発明によるバレルの最短長は、望ましくは５３ｍｍ乃至６５ｍｍ間であり、とくに望ましくは５４ｍｍ乃至５８ｍｍの間である。本発明による調律可能なバレル貫通穴の内径は、Ａ管調もしくはＢ管調クラリネットについては、望ましくは１４．５ｍｍ乃至１５．５ｍｍであり、とくに１４．９ｍｍ乃至１５．１ｍｍが望ましい。
【図面の簡単な説明】
【００２６】
本発明の調整可能なバレルが意図する部分や特徴、利点、適用可能性は、図面に基づいて以下に述べる実施例の詳細な説明から明らかである。そこでは、詳細な説明で述べる実施例、及び／又は 、図面に視覚的に表されている実施例、又はこれらの任意の組み合わせも可能であり、要約文に拘泥すべきものではなく、個々の請求項あるいはそこから派生する事柄において本発明の対象とする。
【図１】図１は、本発明のバレルの断面を部分的に示す図である。
【図２】図２は、本発明のバレルが完全に接合された状態の断面を部分的に示す図である。
【図３】図３は、本発明のバレルの別の実施例の断面を部分的に示す図であり、ここでは下部とクラリネット管体の上管とが一体的に形成されている。
【図４】図４は、本発明のバレルの調節リングを前方から見た図である。
【実施例】
【００２７】
図１および図２には、本発明による調整可能なバレルが示されている。バレル全体を、まとめて符号１で示す。バレル１は、図に示されていないマウスピースを挿入する挿入穴２０を具える上部２と、図に示されていない管体の上管を挿入する挿入穴３０を具える下部３で構成されている。挿入穴２０，３０は貫通穴１００に繋がっており、上部２と下部３は、バレル１の長手方向の軸線Ｌに沿って挿入され連結される。上部２を下部３と確実に連結させるため、二つの内ネジ５ａ，５ｂを具える調節リング４が設けられており、この調節リングによって上部２と下部３との間の間隔を変えることができる。内ネジ５ａ，５ｂは、それぞれ端部側から軸線Ｌに沿って調節リングの中へ入るように切られている。
【００２８】
上部２と下部３には、それぞれの挿入穴２０，３０と反対側の端部に、金属製のネジ山付きリング６０，７０が設けられており、それぞれ外ネジ６，７が切られている。ネジ山付きリング６０，７０は、例えば段差が付いた座面でそれぞれ上部２および下部３に接着あるいはネジどめされる。下部３に切られた外ネジ７は左ネジであり、一方、上部２に切られた外ネジ６は逆向きの右ネジである。これに対応して、上部には右回りの外ネジ６に対応する内ネジ５ｂを、下部には左回りの外ネジ７に対応する内ネジ５ａがそれぞれ設けられており、調節リング４の内ネジ５ａ，５ｂが設定されている。これによって上部２は、右回りの外ネジ６を用いて上側から調節リング４にねじ入れることができ、下部３は、左回りの外ネジ７を用いて下側から調節リング４にねじ入れることができる。当然に、外ネジの配置、すなわちその回転を逆にしても良いことは自明である。これによって、バレルを長くするのに調節リング４を右回りあるいは左回りのどちらにするかを、前もって決めておくことができる。
【００２９】
ここで図２を参照すると、ここでは上部２と下部３が調節リング４の中に最大限ねじ込まれており、この状態から調節リング４を時計回り方向に回すことによって、上部２および下部３は直線的かつ軸線上で相互に離反するように動いて、低く調律することができる。その後のステップで、反対に、調節リング４を反時計回り方向に回すと、上部２と下部３が直線的に相互に接近して、それに応じて高い音で鳴るようになる。
【００３０】
このメカニズムの大きな利点は、クラリネットを下に降ろすことなく調節リング４を片手で容易に操作できる点である。これによって、楽器を下に降ろすことなく、いつでも的確に楽器を調音することができる。このメカニズムによって操作が簡単になるため、とりわけアマチュア愛好家にとって好ましい。
【００３１】
図２から分かるように、調節リング４とネジ山付きリング６０，７０から構成されるスクリュー式調節リングユニットは、上部２と下部３の貫通穴１００を取り囲むようにバレル１に装着することが望ましい。これに対して、挿入穴２０，３０は、この実施例においては、スクリュー式調節リングのユニット４，６０，７０に囲まれていない。特に望ましい実施例では、スクリュー式調節リングのユニット４，６０，７０は、基本的に挿入穴２０と挿入穴３０との間の（正確ではないが）中央部分に位置している。
【００３２】
図４は、調節リング４を前方から見た状態を示す。調節リング４は、その外周側に望ましくはローマ数字のマーキングが施されている。これは楽器の音の高さを調整するものであり、設定されたマーキングから隣のマーキングへの移行度合は、一例として１Ｈｚに相当する。このマーキングが施されていることによって、バレルの上部と下部の間の調整を容易に再現することができる。その他のマーキングの例としては、例えばｍｍ単位のスケーリングとしたり、あるいはヘルツ表示にしてもよい。
【００３３】
右回りの外ネジ６と左回りの外ネジ７の組み合わせによって、調節リング４を回したときに上部２が下部３に対して捻れないようになっているが、むしろ、上部２と下部３は相互の位置関係がしっかり維持されており、調節リング４の回転によって軸線上で互いに接近または離反するように動く。これに加えて、上部２の切欠きに取り付けたネジ山付きリング６０，７０を貫通するガイドピン８が更に捻れを防止している。
【００３４】
上部２と下部３が離反するに際して隙間ができないようにするために、上部２は、貫通穴１００に該当する位置に上部２と一体成形された薄壁状の連結鞘９を具えている。この連結鞘９は下部３側で貫通穴１００の中にピッタリと挿し込まれるように、外径が下部３側の貫通穴１００の内径よりも僅かに小さい。当然ながら、下部３に連結鞘９を設けて、それが上部２側の貫通穴１００にピッタリと挿し込まれるようにしてもよい。
【００３５】
図２に示すように、上部２と下部３が最大限に近接すると、連結鞘９と下部３の貫通穴１００とのオーバーラップ状態が最大になる。この状態から調節リング４を時計回り方向に回わすと、上部２と下部３は軸線上で離反する方向に動き、連結鞘９は下部３の貫通穴１００から望遠鏡のように抜けるように動く。ここで、減少しながら常に続いている連結鞘９と下部３の貫通穴１００との間のオーバーラップ部分によって、上部２と下部３とが離反して動くことによって隙間が形成されるといった事態が回避される。
【００３６】
図１および図２に示す調整可能なバレル１の実施例では、下部３はグレナディルの木でできたクラリネット本体と合致するように作られているのに対して、上部２は連結鞘９を含めて、例えばＰＯＭのようなこれに適した合成樹脂で作られている。ポリオキシメチレンの具体例としては、デュポン社のデルリン（Ｄｅｌｒｉｎ）が挙げられる。
【００３７】
調節リング４の内ネジ５と、上部２と下部３の外ネジ６，７のピッチは、それぞれ例えば１ｍｍである。これによって調節リング４を完全に１回転させると、バレル１の長さは例えば０．５ｍｍ変化することとなり、これは音の高さで言えば１Ｈｚの変化に相当する。
【００３８】
図３には、本発明によるバレルの実施例が示されており、ここでは下部３がクラリネットの上管と一体に形成されている。この場合、図１および図２には描かれていないが、下部３とクラリネットの上管との間のスリーブによる結合部分が不要になる。その他の構成については、図１および図２について説明したものと同一である。
【００３９】
本発明によるクラリネット・バレルは、上述した望ましい実施例に限定されるものではない。むしろ、多くの形のバリエーションが考えられ、基本的な性質を異にする態様であっても、ここに開示された解決策を用いることができる。
【符号の説明】
【００４０】
１      調整可能なクラリネット・バレル
２      上部
３      下部
４      調節リング
５ａ，５ｂ  調節リング４に設けた内ネジ
６      上部２に設けた右向きの外ネジ
７      下部３に設けた左向きの外ネジ
８      ガイドピン
９      連結鞘
２０    上部２に設けた挿入穴
３０    下部３に設けた挿入穴
６０    上部２に取り付けたネジ山付きリング
７０    下部３に取り付けたネジ山付きリング
１００  貫通穴
Ｌ      長手方向の軸線
【図１】
0005547178.tif 000002
【図２】
0005547178.tif 000003
【図３】
0005547178.tif 000004
【図４】
0005547178.tif 000005